【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
ａ．カメラ機能付きセル電話を用いて、機械読取り可能コードのイメージを取り込む工程と、
ｂ．前記カメラ機能付きセル電話上で、前記取り込まれたイメージを処理して、前記機械読取り可能コードをファイル識別子に復号化する工程と、
ｃ．前記カメラ機能付きセル電話上で、前記ファイル識別子を含む要求ＵＲＬを形成する工程と、
ｄ．前記カメラ機能付きセル電話から、関連するセルラ電話ネットワークを介して、前記セルラ電話ネットワークと相互運用する前記コンピュータ・ネットワーク上の解決サーバ・コンピュータに前記要求ＵＲＬを送信する工程と、
ｅ．前記解決サーバ・コンピュータにおいて、前記要求ＵＲＬに基づいて情報ＵＲＬを決定する工程と、
ｆ．前記情報ＵＲＬを前記カメラ機能付きセル電話に戻す工程と、
ｇ．前記カメラ機能付きセル電話が、前記情報ＵＲＬが指定する情報サーバ・コンピュータに前記情報ＵＲＬを送信する工程と、
ｈ．前記情報サーバ・コンピュータが、前記情報ＵＲＬを受信し、前記情報ＵＲＬに基づいて前記カメラ機能付きセル電話にコンテンツを戻す工程と
を含む、コンピュータ・ネットワーク上の情報サーバ・コンピュータからコンテンツにアクセスするための方法。
【請求項２】
前記機械読取り可能コードが、バーコード・シンボルである、請求項１に記載の方法。
【請求項３】
前記バーコード・シンボルが、オブジェクトに関連する、請求項２に記載の方法。
【請求項４】
前記カメラ機能付きセル電話に戻された前記コンテンツが、前記オブジェクトに関連する、請求項３に記載の方法。
【請求項５】
前記バーコード・シンボルが、ＵＰＣコードである、請求項４に記載の方法。
【請求項６】
前記コンピュータ・ネットワークが、グローバル・コンピュータ・ネットワークであり、前記カメラ機能付きセル電話が、セルラ・ネットワーク上で前記グローバル・コンピュータ・ネットワークと通信を行う、請求項１に記載の方法。
【請求項７】
前記要求ＵＲＬが、デバイス識別子をさらに含む、請求項１に記載の方法。
【請求項８】
前記情報ＵＲＬが、前記デバイス識別子に基づいて決定される、請求項７に記載の方法。
【請求項９】
前記解決サーバ・コンピュータにおいて、前記要求ＵＲＬに基づいて情報ＵＲＬを決定する前記工程が、
ｉ．前記要求ＵＲＬから前記ファイル識別子を抽出する工程と、
ｉｉ．前記ファイル識別子を用いて、関連する情報ＵＲＬに対するファイル識別子の複数のマッピングを含むデータベースに照会する工程と
を含む、請求項１に記載の方法。
【請求項１０】
ａ．カメラ機能付きセル電話を用いて、機械読取り可能コードのイメージを取り込む工程と、
ｂ．前記カメラ機能付きセル電話上で、前記取り込まれたイメージを処理して、サーバＩＤおよびアイテムＩＤを含むファイル識別子に前記機械読取り可能コードを復号化する工程と、
ｃ．前記カメラ機能付きセル電話上で、前記ファイル識別子を含む要求ＵＲＬを形成する工程と、
ｄ．前記カメラ機能付きセル電話から、関連するセルラ電話ネットワークを介して、前記セルラ電話ネットワークと相互運用する前記コンピュータ・ネットワーク上の所定のゲートウェイ・サーバに前記要求ＵＲＬを送信する工程と、
ｅ．前記ゲートウェイ・サーバが、前記サーバＩＤを解析して、前記コンピュータ・ネットワーク上の関連する解決サーバを決定する工程と、
ｆ．前記ゲートウェイ・サーバが、前記サーバＩＤに関連する前記コンピュータ・ネットワーク上の前記解決サーバに前記アイテムＩＤを送信して、前記サーバＩＤおよび前記アイテムＩＤに基づいて情報ＵＲＬを取得する工程と、
ｇ．前記解決サーバが、前記情報ＵＲＬを前記ゲートウェイ・サーバに戻す工程と、
ｈ．前記ゲートウェイ・サーバが、前記カメラ機能付きセル電話と対話して、前記情報ＵＲＬが指定する情報サーバ・コンピュータに前記情報ＵＲＬを送信し、前記情報ＵＲＬに基づいて前記情報サーバ・コンピュータからコンテンツを受信する工程と
を含む、コンピュータ・ネットワーク上の情報サーバ・コンピュータからコンテンツにアクセスするための方法。
【請求項１１】
前記ゲートウェイ・サーバが、前記カメラ機能付きセル電話と対話して、前記情報ＵＲＬが指定する情報サーバ・コンピュータに前記情報ＵＲＬを送信し、前記情報ＵＲＬに基づいて前記情報サーバ・コンピュータからコンテンツを受信する前記工程が、
ｉ．前記ゲートウェイ・サーバが、前記情報ＵＲＬが指定する情報サーバ・コンピュータに前記情報ＵＲＬを送信する工程と、
ｉｉ．前記ゲートウェイ・サーバが、前記情報ＵＲＬに基づいて前記情報サーバ・コンピュータからコンテンツを受信する工程と、
ｉｉｉ．前記ゲートウェイ・サーバが、前記情報サーバから受信する前記コンテンツを前記カメラ機能付きセル電話に送信する工程と
を含む、請求項１０に記載の方法。
【請求項１２】
前記ゲートウェイ・サーバが、前記カメラ機能付きセル電話と対話して、前記情報ＵＲＬが指定する情報サーバ・コンピュータに前記情報ＵＲＬを送信し、前記情報ＵＲＬに基づいて前記情報サーバ・コンピュータからコンテンツを受信する前記工程が、
ｉ．前記ゲートウェイ・サーバが、前記カメラ機能付きセル電話に前記情報ＵＲＬを送信する工程と、
ｉｉ．前記カメラ機能付きセル電話が、前記情報ＵＲＬが指定する前記情報サーバ・コンピュータに前記情報ＵＲＬを送信する工程と、
ｉｉｉ．前記カメラ機能付きセル電話が、前記情報ＵＲＬに基づいて前記情報サーバ・コンピュータからコンテンツを受信する工程と
を含む、請求項１０に記載の方法。
【請求項１３】
ａ．グローバル・コンピュータ・ネットワークに対する無線アクセスを行うカメラ・セル電話上で、前記グローバル・コンピュータ・ネットワークにアクセスするために前記カメラ・セル電話上のブラウザ・プログラムと相互運用するようになっているクライアント・アプリケーションを起動する工程と、
ｂ．前記カメラ・セル電話を用いて、オブジェクトに関連するバーコード・シンボルの写真を撮る工程と、
ｃ．前記カメラ機能付きセル電話上で、前記取り込まれたイメージを処理して、前記バーコードを復号化し、前記バーコード・タイプおよび前記バーコード値を決定する工程と、
ｄ．前記カメラ機能付きセル電話上で、前記バーコード・タイプと、前記バーコード値と、前記ブラウザ・プログラムの表示機能を識別するデバイス識別子とを含む要求ＵＲＬを形成する工程と、
ｅ．前記カメラ機能付きセル電話から、セル電話ネットワークを介して、前記グローバル・コンピュータ・ネットワーク上の所定の解決サーバ・コンピュータに前記要求ＵＲＬを送信する工程と、
ｆ．前記解決サーバ・コンピュータにおいて、前記バーコード・タイプ、前記バーコード値、および前記デバイス識別子を抽出する工程と、
ｇ．前記バーコード・タイプ、前記バーコード値、および前記デバイス識別子を使用して、前記情報サーバ・コンピュータにおけるデータベース中の情報ＵＲＬを調べる工程と、
ｈ．前記情報ＵＲＬを前記カメラ・セル電話の前記ブラウザ・プログラムに戻す工程と、
ｉ．前記カメラ・セル電話の前記ブラウザ・プログラムが、前記情報ＵＲＬが指定する情報サーバ・コンピュータに前記情報ＵＲＬを送信する工程と、
ｊ．前記情報サーバ・コンピュータが、前記情報ＵＲＬを受信し、前記カメラ・セル電話に前記情報ＵＲＬに基づいてコンテンツを戻す工程と
を含む、コンピュータ・ネットワーク上の情報サーバ・コンピュータからコンテンツにアクセスするための方法。
【請求項１４】
Ａ．
ａ．セルラ電話トランシーバと、
ｂ．デジタル・カメラ・モジュールと、
ｃ．ディスプレイ・スクリーンと、
ｄ．
ｉ．前記セルラ電話トランシーバをセルラ電話ネットワークと選択的に通信させて、セルラ電話呼出しを行わせ受信させ、グローバル・コンピュータ・ネットワーク上でブラウザ・プログラムを介してサーバ・コンピュータと通信を行わせ、
ｉｉ．前記デジタル・カメラ・モジュールを介して、機械読取り可能コードのイメージを取り込み、
ｉｉｉ．前記取り込まれたイメージを処理して、前記機械読取り可能コードをファイル識別子に復号化し、
ｉｖ．前記ファイル識別子を含む要求ＵＲＬを形成し、
ｖ．前記セルラ電話トランシーバを介して、前記グローバル・コンピュータ・ネットワーク上の解決サーバ・コンピュータに前記要求ＵＲＬを送信する
ようになっている処理回路と
を備えるカメラ機能付きセル電話と、
Ｂ．前記グローバル・コンピュータ・ネットワークに相互接続され、
ａ．前記カメラ機能付きセル電話から受信される前記要求ＵＲＬに基づいて情報ＵＲＬを決定し、
ｂ．前記情報ＵＲＬを前記カメラ機能付きセル電話に戻す
ようになっている処理回路を備える解決サーバ・コンピュータと
を備え、
前記カメラ機能付きセル電話の前記処理回路がさらに、前記ブラウザ・プログラムと相互運用して、前記解決サーバから受信される前記情報ＵＲＬを前記情報ＵＲＬが指定する情報サーバ・コンピュータに送信し、前記情報ＵＲＬに基づいて前記情報サーバ・コンピュータからコンテンツを受信し、前記ディスプレイ・スクリーン上に前記受信されたコンテンツを表示するようになっている、コンピュータ・ネットワーク上の情報サーバ・コンピュータからコンテンツにアクセスするためのシステム。
【請求項１５】
前記機械読取り可能コードが、バーコード・シンボルである、請求項１４に記載のシステム。
【請求項１６】
前記バーコード・シンボルが、オブジェクトに関連する、請求項１５に記載のシステム。
【請求項１７】
前記カメラ機能付きセル電話に戻される前記コンテンツが、前記オブジェクトに関連する、請求項１５に記載のシステム。
【請求項１８】
前記バーコード・シンボルが、ＵＰＣコードである、請求項１７に記載のシステム。
【請求項１９】
前記要求ＵＲＬが、デバイス識別子をさらに含む、請求項１４に記載のシステム。
【請求項２０】
前記情報ＵＲＬが、前記デバイス識別子に基づいて決定される、請求項１９に記載のシステム。
【請求項２１】
前記解決サーバ処理回路が、
ｉ．前記要求ＵＲＬから前記ファイル識別子を抽出し、
ｉｉ．前記ファイル識別子を用いて、関連する情報ＵＲＬに対するファイル識別子の複数のマッピングを含むデータベースに照会することにより、
前記カメラ機能付きセル電話から受信される前記要求ＵＲＬに基づいて情報ＵＲＬを決定するようになっている、請求項１４に記載のシステム。
【請求項２２】
ａ．セルラ電話トランシーバと、
ｂ．デジタル・カメラ・モジュールと、
ｃ．ディスプレイ・スクリーンと、
ｄ．
ｉ．前記セルラ電話トランシーバをセルラ電話ネットワークと選択的に通信させて、セルラ電話呼出しを行わせ受信させ、グローバル・コンピュータ・ネットワーク上でブラウザ・プログラムを介してサーバ・コンピュータと通信を行わせ、
ｉｉ．前記デジタル・カメラ・モジュールを介して、機械読取り可能コードのイメージを取り込み、
ｉｉｉ．前記取り込まれたイメージを処理して、前記機械読取り可能コードをファイル識別子に復号化し、
ｉｖ．前記ファイル識別子を含む要求ＵＲＬを形成し、
ｖ．前記セルラ電話トランシーバを介して、前記グローバル・コンピュータ・ネットワーク上の解決サーバ・コンピュータに前記要求ＵＲＬを送信し、
ｖｉ．前記解決サーバから、前記要求ＵＲＬに基づいて前記解決サーバが決定する情報ＵＲＬを受信し、
ｖｉｉ．前記ブラウザ・プログラムと相互運用して、前記解決サーバから受信される前記情報ＵＲＬを前記情報ＵＲＬが指定する情報サーバ・コンピュータに送信し、
ｖｉｉｉ．前記情報ＵＲＬに基づいて前記情報サーバ・コンピュータからコンテンツを受信し、
ｉｘ．前記ディスプレイ・スクリーン上で前記受信されたコンテンツを表示する
ようになっている処理回路と
を備える、コンピュータ・ネットワーク上の情報サーバ・コンピュータからコンテンツにアクセスするためのカメラ機能付きセル電話。
【請求項２３】
ａ．セルラ電話トランシーバと、
ｂ．カメラ・レンズを備えるデジタル・カメラ・モジュールと、
ｃ．ディスプレイ・スクリーンと、
ｄ．
ｉ．前記セルラ電話トランシーバをセルラ電話ネットワークと選択的に通信させて、セルラ電話呼出しを行わせ受信させ、グローバル・コンピュータ・ネットワーク上でブラウザ・プログラムを介してサーバ・コンピュータと通信を行わせ、
ｉｉ．前記デジタル・カメラ・モジュールを介して、機械読取り可能コードのイメージを取り込み、
ｉｉｉ．前記取り込まれたイメージを処理して、前記機械読取り可能コードをファイル識別子に復号化し、
ｉｖ．前記ファイル識別子を含む要求ＵＲＬを形成し、
ｖ．前記セルラ電話トランシーバを介して、前記グローバル・コンピュータ・ネットワーク上のゲートウェイ・サーバ・コンピュータに前記要求ＵＲＬを送信し、
ｖｉ．前記ゲートウェイ・サーバ・コンピュータから、関連する解決サーバが前記要求ＵＲＬに基づいて決定する情報ＵＲＬを受信し、
ｖｉｉ．前記ブラウザ・プログラムと相互運用して、前記ゲートウェイ・サーバから受信される前記情報ＵＲＬを前記情報ＵＲＬが指定する情報サーバ・コンピュータに送信し、
ｖｉｉｉ．前記情報ＵＲＬに基づいて前記情報サーバ・コンピュータからコンテンツを受信し、
ｉｘ．前記ディスプレイ・スクリーン上で前記受信されたコンテンツを表示する
ようになっている処理回路と
を備えるハウジングを備える、コンピュータ・ネットワーク上の情報サーバ・コンピュータからコンテンツにアクセスするためのカメラ機能付きセル電話。
【請求項２４】
前記ハウジング上に取り付けて前記カメラ・レンズとの位置合わせを行い、前記機械読取り可能コードの前記取り込まれたイメージの正常な復号化を可能にするのに十分な前記機械読取り可能コードの拡大を実現するようになっている外部レンズ・モジュールをさらに備える、請求項２３に記載のカメラ機能付きセル電話。
【請求項２５】
前記外部レンズ・モジュールが、前記ハウジング上にクリップ留めされる、請求項２４に記載のカメラ機能付きセル電話。
【請求項２６】
前記外部レンズ・モジュールが、前記ハウジングと滑らせて係合される、請求項２４に記載のカメラ機能付きセル電話。
【請求項２７】
ａ．セルラ電話トランシーバと、
ｂ．カメラ・レンズを備えるデジタル・カメラ・モジュールと、
ｃ．ディスプレイ・スクリーンと、
ｄ．
ｉ．前記セルラ電話トランシーバをセルラ電話ネットワークと選択的に通信させて、セルラ電話呼出しを行わせ受信させ、グローバル・コンピュータ・ネットワーク上でブラウザ・プログラムを介してサーバ・コンピュータと通信を行わせ、
ｉｉ．前記デジタル・カメラ・モジュールを介して、機械読取り可能コードのイメージを取り込み、
ｉｉｉ．前記取り込まれたイメージを処理して、前記機械読取り可能コードをファイル識別子に復号化し、
ｉｖ．前記ファイル識別子を含む要求ＵＲＬを形成し、
ｖ．前記セルラ電話トランシーバを介して、前記グローバル・コンピュータ・ネットワーク上のゲートウェイ・サーバ・コンピュータに前記要求ＵＲＬを送信し、
ｖｉ．前記ゲートウェイ・サーバ・コンピュータから、関連する解決サーバが前記要求ＵＲＬに基づいて決定する情報ＵＲＬを受信し、
ｖｉｉ．前記ブラウザ・プログラムと相互運用して、前記ゲートウェイ・サーバから受信される前記情報ＵＲＬを前記情報ＵＲＬが指定する情報サーバ・コンピュータに送信し、
ｖｉｉｉ．前記情報サーバ・コンピュータから前記ゲートウェイ・サーバ・コンピュータを介して、前記要求ＵＲＬに基づいてコンテンツを受信し、
ｉｘ．前記ディスプレイ・スクリーン上で前記受信されたコンテンツを表示する
ようになっている処理回路と
を備えるハウジングを備える、コンピュータ・ネットワーク上の情報サーバ・コンピュータからコンテンツにアクセスするためのカメラ機能付きセル電話。
【請求項２８】
前記ハウジング上に取り付けて前記カメラ・レンズとの位置合わせを行い、前記機械読取り可能コードの前記取り込まれたイメージの正常な復号化を可能にするのに十分な前記機械読取り可能コードの拡大を実現するようになっている外部レンズ・モジュールをさらに備える、請求項２７に記載のカメラ機能付きセル電話。
【請求項２９】
前記外部レンズ・モジュールが、前記ハウジング上にクリップ留めされる、請求項２８に記載のカメラ機能付きセル電話。
【請求項３０】
前記外部レンズ・モジュールが、前記ハウジングと滑らせて係合される、請求項２８に記載のカメラ機能付きセル電話。
【手続補正２】
【補正対象書類名】明細書
【補正対象項目名】０００７
【補正方法】変更
【補正の内容】
【０００７】
したがって、本発明は、カメラ機能付きセル電話を使用してインターネットなどのコンピュータ・ネットワーク上の情報サーバ・コンピュータからのコンテンツにアクセスするための方法である。最初に、バーコード・シンボルなどの機械読取り可能コードのイメージが、カメラ機能付きセル電話を用いて取り込まれる。この取り込まれたバーコード・イメージを処理して、このバーコードをファイル識別子に復号化し、このファイル識別子を含む要求ＵＲＬが形成される。次いで、この要求ＵＲＬは、このコンピュータ・ネットワーク上の解決サーバ・コンピュータに送信される。この解決サーバ・コンピュータにおいて、情報ＵＲＬは、この要求ＵＲＬに基づいて決定される。次いで、この情報ＵＲＬは、このカメラ機能付きセル電話に戻され、次にこのカメラ機能付きセル電話は、この情報ＵＲＬをこの情報ＵＲＬが指定する情報サーバ・コンピュータに送信する。この情報サーバ・コンピュータは、この情報ＵＲＬを受信し、この情報ＵＲＬに基づいて、このカメラ機能付きセル電話にコンテンツを戻す。
【手続補正３】
【補正対象書類名】明細書
【補正対象項目名】０００８
【補正方法】変更
【補正の内容】
【０００８】
このカメラ機能付きセル電話によって送信される要求ＵＲＬは、オプションとして、このブラウザ機能など、このカメラ機能付きセル電話のある種の動作特性を識別するのに役立つデバイス識別子を含むことができる。この場合には、この情報ＵＲＬは、このデバイス識別子に基づいて決定されることになる。これにより、異なる情報ＵＲＬをその表示機能に基づいて異なるデバイスごとに戻すことができるようになり、その結果、各デバイスは、特定のデバイス上で表示するために最適化されたコンテンツを検索することになる。
【手続補正４】
【補正対象書類名】明細書
【補正対象項目名】００１０
【補正方法】変更
【補正の内容】
【００１０】
さらなる実施形態においては、このカメラ機能付きセル電話は、カメラ機能付きセル電話を用いて機械読取り可能コードのイメージを取り込み、次いでこの取り込まれたイメージを処理して、サーバＩＤおよびアイテムＩＤを含むファイル識別子にこの機械読取り可能コードを復号化することになる。このファイル識別子を含む要求ＵＲＬが、形成される。この要求ＵＲＬは、このコンピュータ・ネットワーク上の所定のゲートウェイ・サーバに送信され、このゲートウェイ・サーバは、このサーバＩＤを解析して、このコンピュータ・ネットワーク上の関連する解決サーバを決定する。このゲートウェイ・サーバは、このアイテムＩＤをこのサーバＩＤに関連する解決サーバに送信して、このサーバＩＤおよびこのアイテムＩＤに基づいて情報ＵＲＬを取得する。この解決サーバは、この情報ＵＲＬをこのゲートウェイ・サーバに戻し、このゲートウェイ・サーバは、このカメラ機能付きセル電話と対話して、この情報ＵＲＬが指定する情報サーバ・コンピュータにこの情報ＵＲＬを送信し、この情報サーバ・コンピュータからこの情報ＵＲＬに基づいてコンテンツを受信する。
【手続補正５】
【補正対象書類名】明細書
【補正対象項目名】００１１
【補正方法】変更
【補正の内容】
【００１１】
この実施形態においては、このゲートウェイ・サーバは、このカメラ機能付きセル電話と対話して、この情報ＵＲＬが指定する情報サーバ・コンピュータにこの情報ＵＲＬを送信し、２つの方法のうちのどちらかの方法で、この情報サーバ・コンピュータからこの情報ＵＲＬに基づいてコンテンツを受信する。最初に、このゲートウェイ・サーバは、この情報ＵＲＬが指定する情報サーバ・コンピュータにこの情報ＵＲＬを送信することができる。次いで、このゲートウェイ・サーバは、この情報サーバ・コンピュータからこの情報ＵＲＬに基づいてコンテンツを受信し、この情報サーバから受信されたこのコンテンツをこのカメラ機能付きセル電話に送信するはずである。代わりに、このゲートウェイ・サーバは、この情報ＵＲＬをこのカメラ機能付きセル電話に送信することができ、次いでこのカメラ機能付きセル電話は、この情報ＵＲＬが指定する情報サーバ・コンピュータにこの情報ＵＲＬを送信する。次いでこのカメラ機能付きセル電話は、この情報サーバ・コンピュータからこの情報ＵＲＬに基づいてコンテンツを受信する。
【手続補正６】
【補正対象書類名】明細書
【補正対象項目名】００１２
【補正方法】変更
【補正の内容】
【００１２】
本発明を実行するために、本発明のカメラ機能付きセル電話は、セルラ電話トランシーバ、カメラ・レンズを有するデジタル・カメラ・モジュール、ディスプレイ・スクリーン、およびこれらのコンポーネントと相互運用する処理回路を有するハウジングを含んでいる。特に、この処理回路は、このセルラ電話トランシーバを、セルラ電話ネットワークと選択的に通信させて、セルラ電話の呼出しを行わせ、呼出しを受信させ、グローバル・コンピュータ・ネットワーク上でブラウザ・プログラムを介してサーバ・コンピュータと情報をやりとりさせるようになっており、またはプログラムされる。この処理回路はまた、このデジタル・カメラ・モジュールを介して、機械読取り可能コードのイメージを取り込み、この取り込まれたイメージを処理して、この機械読取り可能コードをファイル識別子に復号化し、このファイル識別子を含む要求ＵＲＬを形成し、このセルラ電話トランシーバを介して、このグローバル・コンピュータ・ネットワーク上の解決サーバ・コンピュータにこの要求ＵＲＬを送信するようにもなっている。この処理回路はまた、この解決サーバがこの要求ＵＲＬに基づいて決定する情報ＵＲＬをこの解決サーバから受信し、このブラウザ・プログラムと相互運用して、この解決サーバから受信される情報ＵＲＬをこの情報ＵＲＬが指定する情報サーバ・コンピュータに送信し、この情報サーバ・コンピュータからこの情報ＵＲＬに基づいてコンテンツを受信し、このディスプレイ・スクリーン上でこの受信されたコンテンツを表示するようにもなっている。
【手続補正７】
【補正対象書類名】明細書
【補正対象項目名】００１９
【補正方法】変更
【補正の内容】
【００１９】
次いで、このゲートウェイ・サーバは、このシステムがどのように構成されているかに応じて、２つの方法のうちの一方でこのカメラ電話と相互運用して、このカメラ電話にこの情報コンテンツを供給する。一実施形態においては、このゲートウェイ・サーバは、この情報ＵＲＬをこの情報サーバに送信し、この情報サーバ・コンピュータからこの情報ＵＲＬに基づいてこのコンテンツを受信し、この情報サーバから受信したコンテンツをこのカメラ機能付きセル電話に送信する。
【手続補正８】
【補正対象書類名】明細書
【補正対象項目名】００２０
【補正方法】変更
【補正の内容】
【００２０】
代替実施形態においては、このゲートウェイ・サーバは、この情報ＵＲＬをこのカメラ電話に引き渡し、このカメラ電話は、この情報ＵＲＬをこの情報サーバ・コンピュータに送信し、次いでこのカメラ電話は、この情報サーバ・コンピュータからこの情報ＵＲＬに基づいてこのコンテンツを直接に受信する。